(57)【要約】      （修正有）【課題】路上や草原などで糞を処理するための道具であって、不衛生な取り残しを防止し、携帯しやすく、操作が容易で、かがまずに糞処理できる糞処理道具を提供する。【解決手段】棒部２と棒部２の一端に接続された糞収納部３とを有する糞処理道具であって、糞収納部３が、底部３３と、棒部２側以外の三面を取り囲む側面部３１とを有する、柔軟性のある箱状であって、側面部３１が糞収納部３の内側方向に屈折可能であり、棒部２が三段式で伸縮自在な構成とすること。【選択図】図１
0003144318.tif 000002
【実用新案登録請求の範囲】
【請求項１】
棒部と前記棒部の一端に接続された糞収納部とを有する糞処理道具であって、前記糞収納部が、底部と、棒部側以外の三面を取り囲む側面部とを有する、柔軟性のある箱状であって、前記側面部が前記糞収納部の内側方向に屈折可能であることを特徴とする糞処理道具。
【請求項２】
前記棒部が、三段式で伸縮自在であることを特徴とする請求項１記載の糞処理道具。
【請求項３】
さらに着脱可能な糞収納袋を有し、前記棒部が表裏２箇所に引掛部を有し、前記糞収納袋が、前記引掛部に掛ける２個の取っ手を有し前記引掛部それぞれに前記取っ手をかけた際に前記底部を被覆できる程度の大きさを有することを特徴とする請求項１又は請求項２記載の糞処理道具。
【考案の詳細な説明】
【技術分野】
【０００１】
本考案は、犬の糞を処理するための携帯用の糞処理道具に関する。
【背景技術】
【０００２】
従来より、野外で犬を散歩中、犬の糞処理が行われている。路上や草原で犬に糞をさせた際は、スコップや紙類、ポリ袋でつかんで処理しているのが一般的である。軟便の場合、拭い切れずに取り残したりして大変である。そこで、様々な方式の糞処理道具が考案されている（例えば、特許文献１参照）。
【特許文献１】特開２００７−２７４９１６号公報（０００４段落）
【考案の開示】
【考案が解決しようとする課題】
【０００３】
しかし、上記した特許文献１記載の糞処理道具では、かがんで行う作業は不便を強いられるという問題があった。特に雨天のときは大変であった。また、糞処理のために、その他さまざまな道具が考案、販売されているが、飼い主は、依然として原始的な方法を堅持し迷惑を顧みず不衛生な状態を維持し続けている。これは、従来の糞処理道具が携帯に不便であったり、あるいは複雑な操作を要する、おしゃれでないなどの問題があったからと考えられる。
【０００４】
したがって、本考案の目的は、携帯しやすく、操作が容易で、かがまずに糞処理できる糞処理道具を提供することにある。
【課題を解決するための手段】
【０００５】
上記目的を達成するため、本考案は、次のように構成したものである。
【０００６】
本考案の第１の態様は、棒部と前記棒部の一端に接続された糞収納部とを有する糞処理道具であって、前記糞収納部が、底部と、棒部側以外の三面を取り囲む側面部とを有する、柔軟性のある箱状であって、前記側面部が前記糞収納部の内側方向に屈折可能であることを特徴とする糞処理道具を提供するものである。
【０００７】
前記棒部が、三段に伸縮可能であることが好ましい。
【０００８】
さらに着脱可能な糞収納袋を有し、前記棒部が、表裏２箇所に引掛部を有し、前記糞収納袋が前記引掛部に掛ける２個の取っ手を有し、前記引掛部それぞれに前記取っ手をかけた際に前記底部を被覆できる程度の大きさを有することが好ましい。
【考案の効果】
【０００９】
本考案の糞処理道具は、上述したとおりであるので、携帯しやすく、操作が容易で、かがまずに糞処理できる。
【考案を実施するための最良の形態】
【００１０】
以下に、添付した図面を参照しながら、本考案の好適な実施例の構成及び作用を詳細に説明する。
【実施例１】
【００１１】
（構成）
図１は、本考案の実施例１に係る糞処理道具の全体構成図である。図１（ａ）は、実施例１に係る糞処理道具１の表側から見た、通常の状態の概略を示す。本実施例の糞処理道具１は、棒部２と棒部２の一端に接続された糞収納部３とを有する糞処理道具であって、糞収納部３が、底部３３と、棒部２側以外の三面を取り囲む側面部３１とを有する、柔軟性のある箱状であって、側面部３１が糞収納部３の内側方向に屈折可能である。底部３３が犬の糞を捕捉する、受け部になる。
【００１２】
糞収納部３は、側面部３１、角部３２、底部３３、折曲部３４で構成される。底部３３は、一辺を棒部２に接続された四角い平面状の部分で、底部３３の他の三辺は、それぞれ、ほぼ長方形の側面部３１ａ、３１ｂ、３１ｃで囲まれている。折曲部３４は、側面部３１と底部３３との接する部分で、コの字状となっている。側面部３１ａと側面部３１ｂの間、側面部３１ｂと側面部３１ｃの間は、それぞれ、扇状の角部３２ａ、３２ｂでつなげてある。側面部３１ａと側面部３１ｃとは棒部２側の角が丸く削ってある。底部３３と側面部３１は、折曲部３４で接続されており、角部３２と側面部３１とが底部３３の三方を取り囲んで、一辺（棒部２側）の側面がない箱状の糞収納部３を形成する。側面部３１、角部３２、底部３３、折曲部３４は一体となっている。
【００１３】
棒部２は、引掛部４ａ、４ｂを有する。棒部２は、中空の円筒状の第１棒部２１、第２棒部２２、第３棒部２３を有する。棒部２は、糞収納部３と接続される第１棒部２１の内側に第２棒部２２、第２棒部２２の内側に第３棒部２３を収納可能な三段式の伸縮自在なステッキとなっている。以降、棒部２において、糞収納部３側を根元側、第３棒部２３側を先端側とし、図１（ａ）の紙面手前側を表側として説明する。棒部２の根元側は切れ込みがあり、底部３３を差し込んで固着してある。
【００１４】
図１（ｂ）は、糞処理道具１の側面部３１、角部３２を内側に倒した状態を示す。本実施例では、側面部３１、角部３２、底部３３、折曲部３４はポリプロピレン樹脂シートで、可とう性を有し、繰り返しの曲げにも折損等しにくい。本実施例では、糞収納部３にはポリプロピレンを用いたが、これに限らず、柔軟性のある、例えばポリエチレン等の合成樹脂等でもよい。折曲部３４と角部３２は、側面部３１や底部３３より厚みが薄く柔軟性に富み、屈折可能である。本実施例では、折曲部３４と角部３２は０．２５ｍｍ厚、側面部３１と底部３３は０．５ｍｍ厚であるが、これに限定されない。折曲部３４と角部３２は、指先で軽く押すなどの小さな力で折り曲げること、また、押さえていた指先を離すなど加えていた力を解放して元の状態に戻すことのいずれもが容易にできる。本実施例では、側面部３１、角部３２、底部３３、折曲部３４は同じ素材で形成されるが、折曲部３４と角部３２とが、側面部３１や底部３３と比べ、折り曲げ容易であれば、糞収納部３の各部分は別々の素材を組み合わせて互いに接着しても良い。
【００１５】
図１（ｃ）は、糞処理道具１の棒部２を持ち上げて糞収納部３の裏面を床に押し付けた状態を示す。糞収納部３の底部３３は、第１棒部２１との接続部分で曲がり、棒部２を床面に対して立てた状態で底部３３が床面に着く。
【００１６】
引掛部４ａ、４ｂはそれぞれ、第１棒部２１の表側、裏側に位置し、ビニール袋などを引っ掛けることができる。引掛部４は、本実施例では、第１棒部２１の表面に作った切込み部分で、棒部２の先端側を切込口として第１棒部２１内部へ斜めに切り込んで形成されるものである。棒部２は、本実施例ではアルミ筒であるが、ステンレス等他の金属であっても、あるいは木製やプラスチック製でもよい。また、引掛部４は、携帯時に邪魔にならないために切込み等の窪みであることが望ましいが、これに限定されるものではなく、切込みの代わりに第１棒部２１表面に取付けたフック等の出っ張りでもよい。
【００１７】
図２は、本考案の実施例１に係る糞処理道具の使用手順を示す図である。図２（ａ）は、糞収納袋５で糞処理道具１の糞収納部３を包みかけている状態を示す。図２（ｂ）は、糞収納袋５で糞処理道具１の糞収納部３を包み糞収納袋５の取っ手を引掛部４ａ、４ｂに掛けた状態を示す。図２（ｃ）は、糞収納袋５の取っ手を引掛部４ａに掛けた状態を示す。本実施例では、糞処理道具１は、着脱可能な糞収納袋５を有し、糞収納袋５が、底部３３を被覆できる程度の大きさを有し、棒部２の引掛部４に掛ける取っ手２個を有する。
【００１８】
まず、糞処理道具１に糞収納袋５をセットする。第１棒部２１の裏側の引掛部４ｂに糞収納袋５の取っ手の片方を掛けて、裏返しながら糞収納部３を糞収納袋５の中に包み込む。折曲部３４で側面部３１と角部３２とが内側に曲がって糞収納部３全体が小さくかつ平面状にできるため、小さめの袋でも容易に包み込むことができる。引掛部４ｂに片方の取っ手をかけてあることで、片手でも簡単に糞収納袋５内に糞収納部３を覆うことができる。次に、引掛部４ａに、糞収納部３を包みながら第１棒部２１の裏側から表側に持ってきた、もう片方の取っ手をかける。そのまま、棒部２を握って持ち運ぶことができる。散歩前に予めセットしておくと便利である。犬の糞を取るときは、糞収納袋５内に糞収納部３を入れた状態のまま、図２（ｂ）のように、糞収納部３を床に押し付けながら棒部２を立てる。糞回収後は、引掛部４ｂにかけた糞収納袋５の取っ手を外し、回収した糞を包み込むように、裏側から表側にその取っ手を持ってきて裏返しながら引掛部４ａにその取っ手を引っ掛ける。図２（ｃ）のように、引掛部４ａに、糞８を回収した糞収納袋５をぶら下げたままで携帯できる。糞収納袋５は、引掛部４ａから取り外して、そのままゴミ箱に捨てることができる。糞収納袋５は、引掛部４ａ、４ｂそれぞれに取っ手をかけた際に底部３３を被覆できる程度の大きさを要するが、なおかつ、できるだけ小さいことが望ましい。側面部３１と角部３２とが内側に倒れるので、側面部３１の高さ分の余裕がない大きさでも使用可能で、嵩張らず、携帯性に優れる。
【００１９】
図３は、本考案の実施例１に係る糞処理道具の使用例を示す図である。あらかじめ糞収納袋５をかぶせて糞を取る準備がしてあるので、犬７が糞をしようとしてしりを下げ始めたときに、ヒト６は、立ったまま、しかも片手で、犬７のチェーン等を持ったままで、地面等の床面に糞処理道具１を押し付けて、犬７の尻の下にすばやく入れ込んで糞８を回収することができる。
【００２０】
（効果）
本実施例によれば、糞処理道具の上で糞を受けるので、犬の糞が路上や草原に触れずに処理でき、衛生的である。また、棒部を立てた状態で底部を根元側で折り曲げられるので、かがむ必要がなく、直立姿勢で犬の糞を処理でき、身体が不自由な場合や雨天の場合でも処理しやすく、また、傘を持っていて片手しか使えなかったり、さらに鎖を持っているなど、手が塞がった状態でも作業がしやすい。
【００２１】
さらに袋を棒部に引っ掛けられ、しかもそのまま糞を回収できるので、あらかじめ袋をセットした状態で携帯でき、袋の取っ手部分だけを片手で裏返して回収作業が完了でき、袋の上からも糞を触ることなく回収でき、快適である。また、軟便でも糞処理道具も手も汚れることがない。
【００２２】
糞収納部全体が小さくかつ平面状にできるため、袋をひっくり返すときにスムーズにでき、また、三段構造で棒部が伸縮可能なこととあいまって、コンパクトにしてかばん等に入れて携帯することも可能である。袋をセットしておけば、糞処理道具を床に押し付けるステップと裏側の引掛部から外した袋の取っ手を、裏返しながら表側の引掛部に掛け直すステップの２段階で糞の回収をすることができる。
【００２３】
本実施例においては、棒部が伸縮可能で、また棒部のどこを持っていても作業可能なので、作業者の身長によらず、また子供でも老人でも年齢によらず、楽に使用でき、使い勝手よく作業しやすい。本実施例では、また、袋を引っ掛ける部分が表側と裏側の２箇所あるので、袋が糞処理道具から外れにくく、安定した状態で携帯したり糞回収したりすることができ、失敗しにくいうえ、外れてしまった袋を何度も付け直すなどの煩わしさも回避できる。
【００２４】
蝶番等を用いず、単純な構造でありながら、底部の曲げ伸ばしやスピーディーでスマートな回収等、高い機能を実現できる。また、本実施例では引掛部が切れ込みであるので出っ張りがなく、シンプルですっきりとした外観を実現でき、携帯していてもおしゃれである。
【００２５】
本実施例によれば、嵩張らず、携帯しやすく、操作が容易で、かがまずに糞処理できる。
【００２６】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【図面の簡単な説明】
【００２７】
【図１】本考案の実施例１に係る糞処理道具の全体構成図である。
【図２】本考案の実施例１に係る糞処理道具の使用手順を示す図である。
【図３】本考案の実施例１に係る糞処理道具の使用例を示す図である。
【符号の説明】
【００２８】
１    糞処理道具
２    棒部
２１  第１棒部
２２  第２棒部
２３  第３棒部
３    糞収納部
３１  側面部
３２  角部
３３  底部
３４  折曲部
４    引掛部
５    糞収納袋
６    ヒト
７    犬
８    糞
【図１】
0003144318.tif 000003
【図２】
0003144318.tif 000004
【図３】
0003144318.tif 000005